(57)【要約】【課題】映像処理装置の多機能化への対応が容易なアダプタ，映像処理装置および映像処理システムを提供すること。【解決手段】映像処理システム１は、映像処理をするプロジェクタ３とプロジェクタ３に対し着脱自在なアダプタ２を備える。アダプタ２は、第１の映像信号を入力する入力部４と、第１の映像信号を出力する出力部５と、第１の映像信号によりプロジェクタ３に映像処理をさせるための第１の映像処理プログラム１０を格納する第１のプログラム記憶部８と、を備える。プロジェクタ３は、第１の映像信号と異なる第２の映像信号を入力する入力部１７と、第２の映像信号によりプロジェクタ３に映像処理をさせる第２の映像処理プログラム２１を格納する第２のプログラム記憶部２０と、第２の映像処理プログラム２１を第１の映像処理プログラム１０に更新する更新部３４と、を備える。【選択図】      図１
2004287242.tif 000002
【特許請求の範囲】
【請求項１】
映像処理をする映像処理装置に対し着脱自在なアダプタであって、
第１の映像信号を入力する第１の映像信号入力手段と、
前記第１の映像信号入力手段から入力された第１の映像信号を出力するとともに前記映像処理装置に対し電気的に接続される第１の映像信号出力手段と、
前記第１の映像信号により前記映像処理装置に映像処理をさせるための第１の映像処理プログラムを格納する第１のプログラム記憶手段と、
前記映像処理装置から前記第１の映像処理プログラム取得要求があった場合、前記映像処理装置に前記第１の映像処理プログラムを送信するプログラム送信手段と、
を備えることを特徴とするアダプタ。
【請求項２】
映像処理をする映像処理装置に対し着脱自在なアダプタであって、
第１の映像信号を入力する第１の映像信号入力手段と、
前記第１の映像信号入力手段から入力された第１の映像信号を出力するとともに前記映像処理装置に対し電気的に接続される第１の映像信号出力手段と、
前記第１の映像信号により前記映像処理装置に映像処理をさせるための第１の映像処理プログラムを格納する第１のプログラム記憶手段と、
前記映像処理装置から前記第１の映像処理プログラム取得要求があった場合、前記映像処理装置に映像処理させるために前記映像処理装置に格納されている第２の映像処理プログラムに関する情報を受け付け、前記第１の映像処理プログラムの内容が、前記第２の映像処理プログラムの内容と一致するか否かを判定する判定手段と、
前記判定手段により一致しないと判定された場合、前記映像処理装置に前記第１の映像処理プログラムを送信するプログラム送信手段と、
を備えることを特徴とするアダプタ。
【請求項３】
前記第１の映像信号出力手段は、前記第１の映像信号と異なる第２の映像信号が入力される前記映像処理装置の第２の映像信号入力手段に対して電気的に接続可能であり、
前記プログラム送信手段は、前記第１の映像信号出力手段と前記第２の映像信号入力手段とが電気的に接続された場合、前記第１の映像信号出力手段から前記第２の映像信号入力手段へ前記第１の映像処理プログラムを送信することを特徴とする請求項１または２に記載のアダプタ。
【請求項４】
映像処理をする映像処理装置に対し着脱自在なアダプタであって、
第１の映像信号を入力する第１の映像信号入力手段と、
前記第１の映像信号入力手段から入力された第１の映像信号を出力するとともに前記映像処理装置に対し電気的に接続される第１の映像信号出力手段と、
前記第１の映像信号により前記映像処理装置に映像処理をさせるための第１の映像処理プログラムを格納する第１のプログラム記憶手段と、
前記映像処理装置から前記第１の映像処理プログラム取得要求があった場合、前記映像処理装置に映像処理させるために前記映像処理装置に格納されている第２の映像処理プログラムに関する情報を受け付け、前記第１の映像処理プログラムの内容が、前記映像処理装置に映像処理させるために前記映像処理装置に格納されている第２の映像処理プログラムの内容と一致するか否かを判定する判定手段と、
前記判定手段により一致しないと判定された場合、前記第１の映像信号が入力されると、前記第１の映像処理プログラムにより前記映像処理装置に映像処理させることを特徴とするアダプタ。
【請求項５】
第１の映像信号を入力する第１の映像信号入力手段と、前記第１の映像信号入力手段から入力された第１の映像信号を出力する第１の映像信号出力手段と、前記第１の映像信号により映像処理をさせるための第１の映像処理プログラムを格納する第１のプログラム記憶手段と、を備えるアダプタに対し、前記第１の映像信号出力手段を介して着脱自在な映像処理装置であって、
前記第１の映像信号と異なる第２の映像信号を入力する第２の映像信号入力手段と、
前記第２の映像信号により前記映像処理装置に映像処理をさせる第２の映像処理プログラムを格納する第２のプログラム記憶手段と、
前記映像処理装置に装着されている前記アダプタから前記第１の映像処理プログラムが送信されてきた場合、前記第２の映像処理プログラムを前記第１の映像処理プログラムに更新する更新手段と、
を備えることを特徴とする映像処理装置。
【請求項６】
第１の映像信号を入力する第１の映像信号入力手段と、前記第１の映像信号入力手段から入力された第１の映像信号を出力する第１の映像信号出力手段と、前記第１の映像信号により映像処理をさせるための第１の映像処理プログラムを格納する第１のプログラム記憶手段と、を備えるアダプタに対し、前記第１の映像信号出力手段を介して着脱自在な映像処理装置であって、
前記第１の映像信号と異なる第２の映像信号を入力する第２の映像信号入力手段と、
前記映像処理装置に映像処理をさせる第２の映像処理プログラムを格納する第２のプログラム記憶手段と、
前記第１のプログラム記憶手段に格納されている第１の映像処理プログラムに関する情報を受け付け、前記第２の映像処理プログラムの内容が、前記第１の映像処理プログラムの内容と一致するか、または前記第２の映像信号により映像処理する映像処理プログラムの内容と一致するかを判定する判定手段と、
前記判定手段により前記第２の映像信号により映像処理する映像処理プログラムの内容と一致すると判定された場合、前記第２の映像処理プログラムを前記第１の映像処理プログラムに更新する更新手段と、
を備えることを特徴とする映像処理装置。
【請求項７】
前記第２の映像信号入力手段は、前記第１の映像信号が出力される前記アダプタの第１の映像信号出力手段に対して電気的に接続可能とされており、
前記更新手段は、前記第１の映像信号出力手段と前記第２の映像信号入力手段とが電気的に接続された場合、前記第１の映像信号出力手段および前記第２の映像信号入力手段を介して前記第１の映像処理プログラムを取得することを特徴とする請求項５または６に記載の映像処理装置。
【請求項８】
第１の映像信号を入力する第１の映像信号入力手段と、前記第１の映像信号入力手段から入力された第１の映像信号を出力する第１の映像信号出力手段と、前記第１の映像信号により映像処理をさせるための第１の映像処理プログラムを格納する第１のプログラム記憶手段と、を備えるアダプタに対し、前記第１の映像信号出力手段を介して着脱自在な映像処理装置であって、
前記第１の映像信号と異なる第２の映像信号を入力する第２の映像信号入力手段と、
前記映像処理装置に映像処理をさせる第２の映像処理プログラムを格納する第２のプログラム記憶手段と、
前記第１のプログラム記憶手段に格納されている第１の映像処理プログラムに関する情報を受け付け、前記第２の映像処理プログラムが、前記第１の映像処理プログラムであるか、または前記第２の映像信号により映像処理する映像処理プログラムであるかを判定する判定手段と、
前記判定手段の判定結果に基づいて、前記第１の映像処理プログラムまたは前記第２の映像処理プログラムのいずれか一方の映像処理プログラムを選択する選択手段と、を備え、
前記選択手段により選択されたいずれか一方の映像処理プログラムにより前記映像処理装置に映像処理させることを特徴とする映像処理装置。
【請求項９】
映像処理をする映像処理装置と、前記映像処理装置に対し着脱自在なアダプタと、を備える映像処理システムであって、
前記アダプタは、
第１の映像信号を入力する第１の映像信号入力手段と、
前記第１の映像信号を出力するとともに前記映像処理装置に対し電気的に接続される第１の映像信号出力手段と、
前記第１の映像信号により前記映像処理装置に映像処理をさせるための第１の映像処理プログラムを格納する第１のプログラム記憶手段と、を備え、
前記映像処理装置は、
前記第１の映像信号と異なる第２の映像信号を入力する第２の映像信号入力手段と、
前記第２の映像信号により前記映像処理装置に映像処理をさせる第２の映像処理プログラムを格納する第２のプログラム記憶手段と、
前記第２の映像処理プログラムを前記第１の映像処理プログラムに更新する更新手段と、
を備えることを特徴とする映像処理システム。
【請求項１０】
映像処理をする映像処理装置と、前記映像処理装置に対し着脱自在なアダプタと、を備える映像処理システムであって、
前記アダプタは、
第１の映像信号を入力する第１の映像信号入力手段と、
前記第１の映像信号を出力するとともに前記映像処理装置に対し電気的に接続される第１の映像信号出力手段と、
前記第１の映像信号により前記映像処理装置に映像処理をさせるための第１の映像処理プログラムを格納する第１のプログラム記憶手段と、を備え、
前記映像処理装置は、
前記第１の映像信号と異なる第２の映像信号を入力する第２の映像信号入力手段と、
前記映像処理装置に映像処理をさせる第２の映像処理プログラムを格納する第２のプログラム記憶手段と、を備え、
前記映像処理システムは、
前記第２の映像処理プログラムの内容が、前記第１の映像処理プログラムの内容と一致するか、または前記第２の映像信号により映像処理する映像処理プログラムの内容と一致するかを判定する判定手段と、
前記判定手段により前記第２の映像信号により映像処理する映像処理プログラムの内容と一致すると判定された場合、前記第２の映像処理プログラムを前記第１の映像処理プログラムに更新する更新手段と、
を備えることを特徴とする映像処理システム。
【請求項１１】
前記第１の映像信号出力手段と前記第２の映像信号入力手段とが電気的に接続可能であり、
前記第１の映像信号出力手段と前記第２の映像信号入力手段とが電気的に接続された場合、前記第１の映像信号出力手段から前記第２の映像信号入力手段へ前記第１の映像処理プログラムを送信することを特徴とする請求項９または１０に記載の映像処理システム。
【請求項１２】
映像処理をする映像処理装置と、前記映像処理装置に対し着脱自在なアダプタと、を備える映像処理システムであって、
前記アダプタは、
第１の映像信号を入力する第１の映像信号入力手段と、
前記第１の映像信号を出力するとともに前記映像処理装置に対し電気的に接続される第１の映像信号出力手段と、
前記第１の映像信号により前記映像処理装置に映像処理をさせるための第１の映像処理プログラムを格納する第１のプログラム記憶手段と、を備え、
前記映像処理装置は、
前記第１の映像信号と異なる第２の映像信号を入力する第２の映像信号入力手段と、
前記映像処理装置に映像処理をさせる第２の映像処理プログラムを格納する第２のプログラム記憶手段と、を備え、
前記映像処理システムは、
前記第２の映像処理プログラムの内容が、前記第１の映像処理プログラムの内容と一致するか、または前記第２の映像信号により映像処理する映像処理プログラムの内容と一致するかを判定する判定手段と、
前記判定手段の判定結果に基づいて、前記第１の映像処理プログラムまたは前記第２の映像処理プログラムのいずれか一方の映像処理プログラムを選択する選択手段と、を備え、
前記アダプタを介して前記映像処理装置へ前記第１の映像信号が入力された場合、前記選択手段により選択された映像処理プログラムにより映像処理させることを特徴とする映像処理システム。
【発明の詳細な説明】
【０００１】
【発明の属する技術分野】
この発明は、映像処理装置の映像処理機能を拡張するためのアダプタ、映像処理装置および映像処理システムに関する。
【０００２】
【従来の技術】
近年、テレビ，ディスプレイ，プロジェクタ等の映像処理装置は、他の同種の映像処理装置との差別化を図るために種々の映像のインターフェースが付加されている。また、メーカーによっては、これらのインターフェースについて標準的な規格を使用するのが通常であるが、将来的には、新しい規格が標準化されたり、メーカー独自の規格が採用されたりする場合もある。このため、内部のプログラムを書き換えることが可能なプロジェクタも提案されている（たとえば、特許文献１参照。）。
【０００３】
【特許文献１】
特開２００１−１４２４４１号公報
【０００４】
【発明が解決しようとする課題】
しかしながら、上記特許文献１では、プログラムの書き込みや変更は、パソコンのＲＳ２３２Ｃインターフェースを使用するため、プログラムの交信や機能を向上させるためには、ユーザーは、メーカーに対しプロジェクタ自体を持ち込む必要があり、ユーザーにとって不便であるとうい問題があった。
【０００５】
また、パソコンを用いたプログラムの書き換えでは、書き換えるためのプログラムがパソコン側に格納されているが、対応する機器のバージョンを管理していないと、誤って異なるプログラムに書き換えてしまうという問題があった。
【０００６】
また、映像処理装置は、装置自体の小型化・軽量化や低価格化が要求されており、上述のような映像機能や新たな規格を付加すると、装置の小型化・軽量化および低価格化の要求に答えることが困難であるという問題があった。このような付加価値的な機能や異なる規格には、ユーザーの中には必要としないものもあり、コストアップの要因となっていた。
【０００７】
さらに、新しい規格が標準化された場合、これまでの規格に準拠したインターフェースを備えていると、その新しい規格で使用することができず、ユーザーに映像処理装置の買い替えを強いることとなっていた。
【０００８】
この発明は、上述した従来技術による問題点を解消するため、映像処理装置の多機能化への対応が容易なアダプタ、映像処理装置および映像処理システムを提供することを目的とする。
【０００９】
【課題を解決するための手段】
上述した課題を解決し、目的を達成するため、請求項１の発明にかかるアダプタは、映像処理をする映像処理装置に対し着脱自在なアダプタであって、第１の映像信号を入力する第１の映像信号入力手段と、前記第１の映像信号入力手段から入力された第１の映像信号を出力するとともに前記映像処理装置に対し電気的に接続される第１の映像信号出力手段と、前記第１の映像信号により前記映像処理装置に映像処理をさせるための第１の映像処理プログラムを格納する第１のプログラム記憶手段と、前記映像処理装置から前記第１の映像処理プログラム取得要求があった場合、前記映像処理装置に前記第１の映像処理プログラムを送信するプログラム送信手段と、を備えることを特徴とする。
【００１０】
この請求項１の発明によれば、映像処理装置に装着することにより映像処理プログラムを提供することができる。また、映像処理装置への映像処理プログラムの提供と、提供した映像処理プログラムに対応する映像信号の映像処理装置への入力と、を単一のアダプタによりおこなうことができる。
【００１１】
また、請求項２の発明にかかるアダプタは、映像処理をする映像処理装置に対し着脱自在なアダプタであって、第１の映像信号を入力する第１の映像信号入力手段と、前記第１の映像信号入力手段から入力された第１の映像信号を出力するとともに前記映像処理装置に対し電気的に接続される第１の映像信号出力手段と、前記第１の映像信号により前記映像処理装置に映像処理をさせるための第１の映像処理プログラムを格納する第１のプログラム記憶手段と、前記映像処理装置から前記第１の映像処理プログラム取得要求があった場合、前記映像処理装置に映像処理させるために前記映像処理装置に格納されている第２の映像処理プログラムに関する情報を受け付け、前記第１の映像処理プログラムの内容が、前記第２の映像処理プログラムの内容と一致するか否かを判定する判定手段と、前記判定手段により一致しないと判定された場合、前記映像処理装置に前記第１の映像処理プログラムを送信するプログラム送信手段と、を備えることを特徴とする。
【００１２】
この請求項２の発明によれば、映像処理装置に対し提供可能な映像処理プログラムを判別することができ、映像処理プログラムの誤った提供を防止することができる。また、映像処理装置への映像処理プログラムの提供と、提供した映像処理プログラムに対応する映像信号の映像処理装置への入力と、を単一のアダプタによりおこなうことができる。
【００１３】
また、請求項３の発明にかかるアダプタは、請求項１または２に記載の発明において、前記第１の映像信号出力手段は、前記第１の映像信号と異なる第２の映像信号が入力される前記映像処理装置の第２の映像信号入力手段に対して電気的に接続可能であり、前記プログラム送信手段は、前記第１の映像信号出力手段と前記第２の映像信号入力手段とが電気的に接続された場合、前記第１の映像信号出力手段から前記第２の映像信号入力手段へ前記第１の映像処理プログラムを送信することを特徴とする。
【００１４】
この請求項３の発明によれば、第１の映像信号と第１の映像処理プログラムとの送信経路の共用化を図ることができる。
【００１５】
また、請求項４の発明にかかるアダプタは、映像処理をする映像処理装置に対し着脱自在なアダプタであって、第１の映像信号を入力する第１の映像信号入力手段と、前記第１の映像信号入力手段から入力された第１の映像信号を出力するとともに前記映像処理装置に対し電気的に接続される第１の映像信号出力手段と、前記第１の映像信号により前記映像処理装置に映像処理をさせるための第１の映像処理プログラムを格納する第１のプログラム記憶手段と、前記映像処理装置から前記第１の映像処理プログラム取得要求があった場合、前記映像処理装置に映像処理させるために前記映像処理装置に格納されている第２の映像処理プログラムに関する情報を受け付け、前記第１の映像処理プログラムの内容が、前記映像処理装置に映像処理させるために前記映像処理装置に格納されている第２の映像処理プログラムの内容と一致するか否かを判定する判定手段と、前記判定手段により一致しないと判定された場合、前記第１の映像信号が入力されると、前記第１の映像処理プログラムにより前記映像処理装置に映像処理させることを特徴とする。
【００１６】
この請求項４の発明によれば、入力される映像信号に応じた映像処理プログラムにより映像処理をおこなうことができる。また、映像処理装置への映像処理プログラムの提供と、提供した映像処理プログラムに対応する映像信号の映像処理装置への入力と、を単一のアダプタによりおこなうことができる。
【００１７】
また、請求項５の発明にかかる映像処理装置は、第１の映像信号を入力する第１の映像信号入力手段と、前記第１の映像信号入力手段から入力された第１の映像信号を出力する第１の映像信号出力手段と、前記第１の映像信号により映像処理をさせるための第１の映像処理プログラムを格納する第１のプログラム記憶手段と、を備えるアダプタに対し、前記第１の映像信号出力手段を介して着脱自在な映像処理装置であって、前記第１の映像信号と異なる第２の映像信号を入力する第２の映像信号入力手段と、前記第２の映像信号により前記映像処理装置に映像処理をさせる第２の映像処理プログラムを格納する第２のプログラム記憶手段と、前記映像処理装置に装着されている前記アダプタから前記第１の映像処理プログラムが送信されてきた場合、前記第２の映像処理プログラムを前記第１の映像処理プログラムに更新する更新手段と、を備えることを特徴とする。
【００１８】
この請求項５の発明によれば、アダプタと装着することにより映像処理プログラムを更新することができる。また、アダプタから送信されてくる第１の映像信号により映像処理をおこなうことができる。
【００１９】
また、請求項６の発明にかかる映像処理装置は、第１の映像信号を入力する第１の映像信号入力手段と、前記第１の映像信号入力手段から入力された第１の映像信号を出力する第１の映像信号出力手段と、前記第１の映像信号により映像処理をさせるための第１の映像処理プログラムを格納する第１のプログラム記憶手段と、を備えるアダプタに対し、前記第１の映像信号出力手段を介して着脱自在な映像処理装置であって、前記第１の映像信号と異なる第２の映像信号を入力する第２の映像信号入力手段と、前記映像処理装置に映像処理をさせる第２の映像処理プログラムを格納する第２のプログラム記憶手段と、前記第１のプログラム記憶手段に格納されている第１の映像処理プログラムに関する情報を受け付け、前記第２の映像処理プログラムの内容が、前記第１の映像処理プログラムの内容と一致するか、または前記第２の映像信号により映像処理する映像処理プログラムの内容と一致するかを判定する判定手段と、前記判定手段により前記第２の映像信号により映像処理する映像処理プログラムの内容と一致すると判定された場合、前記第２の映像処理プログラムを前記第１の映像処理プログラムに更新する更新手段と、を備えることを特徴とする。
【００２０】
この請求項６の発明によれば、取得可能な映像処理プログラムを判別することができ、映像処理プログラムの誤った取得を防止することができる。
【００２１】
また、請求項７の発明にかかる映像処理装置は、請求項５または６に記載の発明において、前記第２の映像信号入力手段は、前記第１の映像信号が出力される前記アダプタの第１の映像信号出力手段に対して電気的に接続可能とされており、前記更新手段は、前記第１の映像信号出力手段と前記第２の映像信号入力手段とが電気的に接続された場合、前記第１の映像信号出力手段および前記第２の映像信号入力手段を介して前記第１の映像処理プログラムを取得することを特徴とする。
【００２２】
この請求項７の発明によれば、第１の映像信号と第１の映像処理プログラムとの取得経路の共用化を図ることができる。
【００２３】
また、請求項８の発明にかかる映像処理装置は、第１の映像信号を入力する第１の映像信号入力手段と、前記第１の映像信号入力手段から入力された第１の映像信号を出力する第１の映像信号出力手段と、前記第１の映像信号により映像処理をさせるための第１の映像処理プログラムを格納する第１のプログラム記憶手段と、を備えるアダプタに対し、前記第１の映像信号出力手段を介して着脱自在な映像処理装置であって、前記第１の映像信号と異なる第２の映像信号を入力する第２の映像信号入力手段と、前記映像処理装置に映像処理をさせる第２の映像処理プログラムを格納する第２のプログラム記憶手段と、前記第１のプログラム記憶手段に格納されている第１の映像処理プログラムに関する情報を受け付け、前記第２の映像処理プログラムが、前記第１の映像処理プログラムであるか、または前記第２の映像信号により映像処理する映像処理プログラムであるかを判定する判定手段と、前記判定手段の判定結果に基づいて、前記第１の映像処理プログラムまたは前記第２の映像処理プログラムのいずれか一方の映像処理プログラムを選択する選択手段と、を備え、前記選択手段により選択されたいずれか一方の映像処理プログラムにより前記映像処理装置に映像処理させることを特徴とする。
【００２４】
この請求項８の発明によれば、入力される映像信号に応じた映像処理プログラムにより映像処理をおこなうことができる。
【００２５】
また、請求項９の発明にかかる映像処理システムは、映像処理をする映像処理装置と、前記映像処理装置に対し着脱自在なアダプタと、を備える映像処理システムであって、前記アダプタは、第１の映像信号を入力する第１の映像信号入力手段と、前記第１の映像信号を出力するとともに前記映像処理装置に対し電気的に接続される第１の映像信号出力手段と、前記第１の映像信号により前記映像処理装置に映像処理をさせるための第１の映像処理プログラムを格納する第１のプログラム記憶手段と、を備え、前記映像処理装置は、前記第１の映像信号と異なる第２の映像信号を入力する第２の映像信号入力手段と、前記第２の映像信号により前記映像処理装置に映像処理をさせる第２の映像処理プログラムを格納する第２のプログラム記憶手段と、前記第２の映像処理プログラムを前記第１の映像処理プログラムに更新する更新手段と、を備えることを特徴とする。
【００２６】
この請求項９の発明によれば、アダプタと装着することにより映像処理プログラムを更新することができる。また、アダプタから送信されてくる第１の映像信号により映像処理をおこなうことができる。さらに、映像処理装置への映像処理プログラムの提供と、提供した映像処理プログラムに対応する映像信号の映像処理装置への入力と、を単一のアダプタによりおこなうことができる。
【００２７】
また、請求項１０の発明にかかる映像処理システムは、映像処理をする映像処理装置と、前記映像処理装置に対し着脱自在なアダプタと、を備える映像処理システムであって、前記アダプタは、第１の映像信号を入力する第１の映像信号入力手段と、前記第１の映像信号を出力するとともに前記映像処理装置に対し電気的に接続される第１の映像信号出力手段と、前記第１の映像信号により前記映像処理装置に映像処理をさせるための第１の映像処理プログラムを格納する第１のプログラム記憶手段と、を備え、前記映像処理装置は、前記第１の映像信号と異なる第２の映像信号を入力する第２の映像信号入力手段と、前記映像処理装置に映像処理をさせる第２の映像処理プログラムを格納する第２のプログラム記憶手段と、を備え、前記映像処理システムは、前記第２の映像処理プログラムの内容が、前記第１の映像処理プログラムの内容と一致するか、または前記第２の映像信号により映像処理する映像処理プログラムの内容と一致するかを判定する判定手段と、前記判定手段により前記第２の映像信号により映像処理する映像処理プログラムの内容と一致すると判定された場合、前記第２の映像処理プログラムを前記第１の映像処理プログラムに更新する更新手段と、を備えることを特徴とする。
【００２８】
この請求項１０の発明によれば、映像処理装置に対し提供可能な映像処理プログラムを判別することができ、映像処理プログラムの誤った提供を防止することができる。また、映像処理装置への映像処理プログラムの提供と、提供した映像処理プログラムに対応する映像信号の映像処理装置への入力と、を単一のアダプタによりおこなうことができる。
【００２９】
また、請求項１１の発明にかかる映像処理システムは、請求項９または１０に記載の映像処理システムにおいて、前記第１の映像信号出力手段と前記第２の映像信号入力手段とが電気的に接続可能であり、前記第１の映像信号出力手段と前記第２の映像信号入力手段とが電気的に接続された場合、前記第１の映像信号出力手段から前記第２の映像信号入力手段へ前記第１の映像処理プログラムを送信することを特徴とする。
【００３０】
この請求項１１の発明によれば、第１の映像信号と第１の映像処理プログラムとの送信経路の共用化を図ることができる。
【００３１】
また、請求項１２の発明にかかる映像処理システムは、映像処理をする映像処理装置と、前記映像処理装置に対し着脱自在なアダプタと、を備える映像処理システムであって、前記アダプタは、第１の映像信号を入力する第１の映像信号入力手段と、前記第１の映像信号を出力するとともに前記映像処理装置に対し電気的に接続される第１の映像信号出力手段と、前記第１の映像信号により前記映像処理装置に映像処理をさせるための第１の映像処理プログラムを格納する第１のプログラム記憶手段と、を備え、前記映像処理装置は、前記第１の映像信号と異なる第２の映像信号を入力する第２の映像信号入力手段と、前記映像処理装置に映像処理をさせる第２の映像処理プログラムを格納する第２のプログラム記憶手段と、を備え、前記映像処理システムは、前記第２の映像処理プログラムの内容が、前記第１の映像処理プログラムの内容と一致するか、または前記第２の映像信号により映像処理する映像処理プログラムの内容と一致するかを判定する判定手段と、前記判定手段の判定結果に基づいて、前記第１の映像処理プログラムまたは前記第２の映像処理プログラムのいずれか一方の映像処理プログラムを選択する選択手段と、を備え、前記アダプタを介して前記映像処理装置へ前記第１の映像信号が入力された場合、前記選択手段により選択された映像処理プログラムにより映像処理させることを特徴とする。
【００３２】
この請求項１２の発明によれば、入力される映像信号に応じた映像処理プログラムにより映像処理をおこなうことができる。また、映像処理装置への映像処理プログラムの提供と、提供した映像処理プログラムに対応する映像信号の映像処理装置への入力と、を単一のアダプタによりおこなうことができる。
【００３３】
【発明の実施の形態】
以下に添付図面を参照して、この発明にかかるアダプタ，映像処理装置および映像処理システムの好適な実施の形態を詳細に説明する。なお、以下の実施の形態では、映像処理装置として、プロジェクタを例にして説明する。
【００３４】
図１は、本発明の映像処理システム１の第１実施の形態を示す概略ハードウェア構成図である。映像処理システム１は、アダプタ２とプロジェクタ３とで構成されている。このアダプタ２は、入力部４と、出力部５と、映像信号処理部６と、ＣＰＵ７と、第１のプログラム記憶部８と、により構成されている。
【００３５】
入力部４は、たとえばＤＶＩとは異なる規格のコネクタが用いられ、図示しない映像入力装置に接続されて、ＲＧＢ信号またはビデオ信号などの第１の映像信号が入力される。出力部５は、プロジェクタ３との装着によりプロジェクタ３の入力部１７と電気的に接続され、ＣＰＵ７からの出力信号や映像信号処理部６において処理された第１の映像信号をプロジェクタ３に送出する。
【００３６】
映像信号処理部６は、入力部４から入力された第１の映像信号に対しデジタル変換処理をおこなう。ＣＰＵ７は、映像信号処理部６の制御，プロジェクタ３とのコマンドの交信および第１のプログラム記憶部８とのアクセス制御をおこなう。第１のプログラム記憶部８は、ＲＯＭやフラッシュメモリなどの不揮発性メモリで構成されている。第１のプログラム記憶部８には、第１の映像処理プログラム１０が格納されている。
【００３７】
プロジェクタ３は、入力部１７と、映像処理プロセッサ１８と、第２のプログラム記憶部２０と、信号切替部２３と、アダプタ認識部２４と、投影部２５と、で略構成されている。
【００３８】
入力部１７は、たとえばＤＶＩコネクタが用いられ、図示しない映像入力装置に接続されて、第１の映像信号と異なる第２の映像信号が入力される。映像処理プロセッサ１８は、入力部１７から入力された第１の映像信号および第２の映像信号を映像処理する。第２のプログラム記憶部２０は、読み書き可能な不揮発性メモリ、たとえばフラッシュメモリで構成されており、第２の映像処理プログラム２１が格納されている。
【００３９】
信号切替部２３は、たとえばマルチプレクサで構成され、入力部１７と映像処理プロセッサ１８との間で切替処理をする。なお、パソコン９を介して第１の映像処理プログラム１０をダウンロードする場合は、信号切替部２３を制御することにより、プロジェクタ３本体に設けられているＲＳ−２３２Ｃに対応する端子を使用する。
【００４０】
アダプタ認識部２４は、アダプタ２の着脱を認識するスイッチである。投影部２５は、映像処理プロセッサ１８からの映像出力により拡大映像を投射する。また、この入力部１７は、第１の映像信号を伝送する第１伝送線１２と、第２の映像信号を伝送する第２伝送線１３と、ＣＰＵ７と映像処理プロセッサ１８との間のコマンドを送受する制御線１４と、ＣＰＵ７から信号切替部２３へ第１の映像処理プログラム１０を送信する送信線１５と、を有している。
【００４１】
なお、プロジェクタ３のＤＶＩコネクタに空き端子がない場合は、プロジェクタ３本体とアダプタ２にそれぞれ入力部２７と出力部２６とを設け、この入力部２７と出力部２６とを電気的に接続することによりＣＰＵ７から信号切替部２３までの送信線２８を形成することとしてもよい。
【００４２】
つぎに、本実施の形態の映像処理システム１の機能的構成について、図２を用いて説明する。アダプタ２は、上述した映像信号処理部６のほか、判定部３０と、プログラム送信部３１と、で略構成されている。
【００４３】
判定部３０は、プロジェクタ３から送信されてくるバージョン情報を受け付けて、そのバージョン情報と第１の映像処理プログラム１０のバージョン情報とを比較し、一致するか否かを判定する。プログラム送信部３１は、第１のプログラム記憶部８に格納されている第１の映像処理プログラム１０をプロジェクタ３に送信する。判定部３０およびプログラム送信部３１は、ＣＰＵ７にあらかじめ格納されている図示しない制御プログラムをＣＰＵ７が実行することによって、その機能を実現するものである。
【００４４】
また、プロジェクタ３は、上述したアダプタ認識部２４および投影部２５のほか、映像処理部３２と、バージョン情報送信部３３と、更新部３４と、で構成されている。
【００４５】
映像処理部３２は、入力された映像信号に基づいて映像処理を実行する。映像処理部３２は、第２のプログラム記憶部２０に格納されている第２の映像処理プログラム２１を映像処理プロセッサ１８が実行することによって、これらの機能を実現するものである。
【００４６】
バージョン情報送信部３３は、アダプタ認識部２４からの出力に基づいて、第２のプログラム記憶部２０に格納されている第２の映像処理プログラム２１のバージョン情報を読み出して、アダプタ２に送信する。更新部３４は、第２のプログラム記憶部２０に格納されている第２の映像処理プログラム２１を、アダプタ２から送信されてくる第１の映像処理プログラム１０に書き換える。バージョン情報送信部３３および更新部３４は、第２のプログラム記憶部２０に格納されている図示しない制御プログラムを映像処理プロセッサ１８が実行することによって、これらの機能を実現するものである。
【００４７】
つぎに、本実施の形態の処理手順について図３および図４のフローチャートを用いて説明する。まず、電源をＯＮにして（ステップＳ２００：Ｙｅｓ）、映像処理プロセッサ１８の初期設定をおこなう（ステップＳ２０１）。アダプタ認識部２４によりアダプタ２の装着が認識されていない場合は（ステップＳ２０２：Ｎｏ）、第２の映像信号が入力されると（ステップＳ２０７：Ｙｅｓ）、映像処理を実行する（ステップＳ２０８）。これにより、投影部２５は、第２の映像信号に基づいて生成された映像を拡大投射する（ステップＳ２０９）。
【００４８】
一方、アダプタ認識部２４によりアダプタ２の装着が認識された場合（ステップＳ２０２：Ｙｅｓ）、バージョン情報送信部３３が、第２のプログラム記憶部２０に格納されている第２の映像処理プログラム２１のバージョン情報を、制御線１４を介して送信する（ステップＳ２０３）。
【００４９】
アダプタ２では、判定部３０により送信されてきたバージョン情報と、第１のプログラム記憶部８に格納されている第１の映像処理プログラム１０のバージョン情報を比較して、一致するか否かを判定する（ステップＳ１００）。そして、一致しないと判定された場合は（ステップＳ１００：Ｎｏ）、第２の映像処理プログラム２１が旧バージョンの映像処理プログラムであることとなり、第１の映像処理プログラム１０と第２の映像処理プログラム２１とは一致しない。これにより、プログラム送信部３１は、第１の映像処理プログラム１０を送信線１５によりプロジェクタ３の更新部３４に送信する（ステップＳ１０１）。
【００５０】
そして、プロジェクタ３では、更新部３４が、第２の映像処理プログラム２１を第１の映像処理プログラム１０に更新する（ステップＳ２０４）。そして、更新が完了した場合は、アダプタ２に対し完了コマンドを送信する。そして、アダプタ２では、完了コマンドを受信し（ステップＳ１０２：Ｙｅｓ）、第１の映像信号が入力されると（ステップＳ１０３：Ｙｅｓ）、映像信号処理部６が映像信号処理を実行し、プロジェクタ３に送信する（ステップＳ１０４）。
【００５１】
プロジェクタ３では、アダプタ２から第１の映像信号が送信されてくると、映像処理部３２は映像処理を実行する（ステップＳ２０５）。そして、投影部２５は、映像処理部３２からの映像出力により拡大映像を投射する（ステップＳ２０６）。
【００５２】
また、アダプタ２において、判定部３０が、プロジェクタ３から送信されてきたバージョン情報と第１の映像処理プログラム１０のバージョン情報とが一致すると判定した場合は（ステップＳ１００：Ｙｅｓ）、第１の映像処理プログラム１０と第２の映像処理プログラム２１とは同一バージョンであるため、第２の映像処理プログラム２１は、第１の映像処理プログラム１０と一致する。したがって、この場合は、第１の映像信号が入力されると（ステップＳ１０３：Ｙｅｓ）、映像信号処理部６が映像信号処理を実行し、プロジェクタ３に送信する（ステップＳ１０４）。
【００５３】
そして、プロジェクタ３では、アダプタ２から第１の映像信号が送信されてくると、映像処理部３２は映像処理を実行する（ステップＳ２０５）。そして、投影部２５は、映像処理部３２からの映像出力により拡大映像を投射する（ステップＳ２０６）。
【００５４】
このように、第１の映像処理プログラム１０と第２の映像処理プログラム２１とが一致しない場合は、第２の映像処理プログラム２１から更新された第１の映像処理プログラム１０により映像処理を実行する。一方、第１の映像処理プログラム１０と第２の映像処理プログラム２１とが一致する場合は、第１の映像処理プログラム１０と同一の第２の映像処理プログラム２１により映像処理を実行する。したがって、常に最新バージョンの映像処理プログラムにより映像処理を実行することができる。
【００５５】
本実施の形態によれば、第２の映像信号の規格に対応するプロジェクタ３に、第２の映像信号の規格と異なる第１の映像信号の規格に対応するアダプタ２を装着することにより、双方の規格に対応する映像処理システム１を提供することができ、多機能化を容易に実現することができる。
【００５６】
また、プロジェクタ３に適用できる映像信号の規格を限定することにより、プロジェクタ３の価格低下を実現することができる。またこれにより、すでに販売されているプロジェクタ３が第２の映像信号の規格にのみ対応するものであっても、アダプタ２により第１の映像信号にも適用可能となるため、新たな規格に対応するプロジェクタ３に買い換える必要がない。
【００５７】
さらに、アダプタ２側の規格が、プロジェクタ３側の規格よりも新しい機能となる場合には、アダプタ２を装着するだけで、機能の向上を図ることができる。また、この機能向上に際しては、アダプタ２の装着と映像処理プログラムのアップデートのみであるので、プロジェクタ３のハードウェアの変更をおこなう必要がなく、メンテナンスや修理が不要となる。
【００５８】
また、第１の映像信号の入力と、この第１の映像信号に対応する第１の映像処理プログラム１０の更新と、を単一のアダプタでおこなうことができ、誤って異なる規格の映像信号に対応する映像処理プログラムに更新してしまうようなミスを防止することができる。
【００５９】
つぎに、本発明の第２実施の形態の映像処理システム１について説明する。本実施の形態の映像処理システム１は、第１の映像処理プログラム１０と第２の映像処理プログラム２１との一致判定を、プロジェクタ３側で実行する構成である。図５は、本実施の形態の映像処理システム１の機能的構成を示すブロック図である。なお、第１実施の形態と同一構成には同一符号を付し、その説明を省略する。
【００６０】
アダプタ２は、映像信号処理部６のほか、バージョン情報送信部４０とプログラム送信部４１と第１のプログラム記憶部８を有する。バージョン情報送信部４０は、プロジェクタ３に対し第１のプログラム記憶部８に格納されている第１の映像処理プログラム１０のバージョン情報を送信する。
【００６１】
プログラム送信部４１は、プロジェクタ３からの取得要求に基づいて、プロジェクタ３に第１の映像処理プログラム１０を送信する。バージョン情報送信部４０およびプログラム送信部４１は、ＣＰＵ７にあらかじめ格納されている図示しない制御プログラムをＣＰＵ７が実行することによって、その機能を実現するものである。
【００６２】
プロジェクタ３は、バージョン情報取得部４２と、判定部４３と、更新部３４と、を有する。バージョン情報取得部４２は、アダプタ認識部２４からの出力に基づいて、アダプタ２に対しバージョン情報取得コマンドを送信する。また、アダプタ２のバージョン情報送信部４０から送信されてくるバージョン情報を取得する。
【００６３】
判定部４３は、アダプタ２から取得したバージョン情報と、第２のプログラム記憶部２０に格納されている第２の映像処理プログラム２１のバージョン情報と、を比較し、一致するか否かを判定する。更新部３４は、第２のプログラム記憶部２０に格納されている第２の映像処理プログラム２１を、アダプタ２から送信されてくる第１の映像処理プログラム１０に書き換える。
【００６４】
バージョン情報取得部４２，判定部４３および更新部３４は、第２のプログラム記憶部２０に格納されている図示しない制御プログラムを映像処理プロセッサ１８が実行することによって、これらの機能を実現するものである。
【００６５】
つぎに、本実施の形態の処理手順について図４および図６のフローチャートを用いて説明する。まず、電源をＯＮにして（ステップＳ２１０：Ｙｅｓ）、映像処理プロセッサ１８の初期設定をおこなう（ステップＳ２１１）。アダプタ認識部２４によりアダプタ２の装着が認識されていない場合は（ステップＳ２１２：Ｎｏ）、第２の映像信号が入力されると（ステップＳ２０７：Ｙｅｓ）、映像処理を実行する（ステップＳ２０８）。これにより、投影部２５は、第２の映像信号に基づいて生成された映像を拡大投射する（ステップＳ２０９）。
【００６６】
一方、アダプタ認識部２４によりアダプタ２の装着が認識された場合（ステップＳ２１２：Ｙｅｓ）、バージョン情報取得部４２からアダプタ２に対し、バージョン情報要求コマンドを制御線１４により送信する（ステップＳ２１３）。アダプタ２では、バージョン情報要求コマンドを受信すると（ステップＳ１１０：Ｙｅｓ）、バージョン情報送信部４０から、アダプタ２に格納されている第１の映像処理プログラム１０のバージョン情報を送信する（ステップＳ１１１）。
【００６７】
そして、プロジェクタ３では、バージョン情報取得部４２において、バージョン情報送信部４０から送信されてきたバージョン情報を取得し、判定部４３において、取得したバージョン情報と第２の映像処理プログラム２１のバージョン情報とを比較し、一致するか否かを判定する（ステップＳ２１４）。そして、判定部４３において一致しないと判定された場合は（ステップＳ２１４：Ｎｏ）、判定部４３からプログラム要求コマンドを送信することにより、第１の映像処理プログラム１０の取得要求をする（ステップＳ２１５）。
【００６８】
アダプタ２では、プログラム送信部４１がプログラム要求コマンドを受信した場合（ステップＳ１１２：Ｙｅｓ）、プログラム送信部４１が第１の映像処理プログラム１０を送信線１５により送信する（ステップＳ１１３）。
【００６９】
プロジェクタ３では、第１の映像処理プログラム１０を受信すると（ステップＳ２１６：Ｙｅｓ）、更新部３４において、第２の映像処理プログラム２１を第１の映像処理プログラム１０に更新する（ステップＳ２１７）。なお、第１の映像処理プログラム１０を受信できない場合は（ステップＳ２１６：Ｎｏ）、再度、判定部４３からプログラム要求コマンドを送信することにより、第１の映像処理プログラム１０の取得要求をする（ステップＳ２１５）。
【００７０】
そして、アダプタ２に第１の映像信号が入力されると（ステップＳ１１４：Ｙｅｓ）、映像信号処理部６において第１の映像信号をデジタル処理し、第１の映像信号を伝送線１２によりプロジェクタ３に送信する（ステップＳ１１５）。
【００７１】
一方、プロジェクタ３の判定部４３において一致すると判定された場合は（ステップＳ２１４：Ｙｅｓ）、第１の映像処理プログラム１０と第２の映像処理プログラム２１とは同一プログラムであり、更新処理は実行しない。この場合、アダプタ２では、プロジェクタ３からプログラム要求コマンドが送信されてこないため、第１の映像処理信号が入力されると（ステップＳ１１４：Ｙｅｓ）、映像信号処理部６で処理をおこなって、処理された第１の映像信号を伝送線１２によりプロジェクタ３に送信することとなる（ステップＳ１１５）。
【００７２】
プロジェクタ３では、アダプタ２から第１の映像信号が送信されてくると、映像処理部３２は映像処理を実行する（ステップＳ２１８）。そして、投影部２５は、映像処理部３２からの映像出力により拡大映像を投射する（ステップＳ２１９）。
【００７３】
このように、第１の映像処理プログラム１０と第２の映像処理プログラム２１とが一致しない場合は、第２の映像処理プログラム２１から更新された第１の映像処理プログラム１０により映像処理を実行する。一方、第１の映像処理プログラム１０と第２の映像処理プログラム２１とが一致する場合は、第１の映像処理プログラム１０と同一の第２の映像処理プログラム２１により映像処理を実行する。したがって、常に最新バージョンの映像処理プログラムにより映像処理を実行することができる。以上説明したように、本実施の形態では、第１の実施の形態と同様の作用効果を奏することができる。
【００７４】
なお、上述したいずれの実施の形態においても、判定部４３により判定処理を実行して、その判定結果に基づいて第１の映像処理プログラム１０を送信して、プロジェクタ３において更新処理を実行することとしているが、判定部４３がない構成とし、アダプタ２の装着を認識することにより、第１の映像処理プログラム１０を送信して、プロジェクタ３において更新処理を実行することとしてもよい。
【００７５】
また、上述したいずれの実施の形態においても、更新処理により第２の映像処理プログラム２１を第１の映像処理プログラム１０に書き換えることとしたが、第２の映像処理プログラム２１を第１の映像処理プログラム１０に書き換えず、第２のプログラム記憶部に第２の映像処理プログラム２１とともに第１の映像処理プログラム１０を格納することとしてもよい。
【００７６】
この場合、第１の映像処理プログラム１０は、アダプタ認識部２４によるアダプタ２の装着認識中のみ起動するように構成し、第２の映像処理プログラム２１は、アダプタ認識部２４によるアダプタ２の抜脱を認識した場合に起動するように構成する。
【００７７】
これにより、第１の映像処理プログラム１０が第２のプログラム記憶部２０に格納された場合、アダプタ認識部２４によるアダプタ２の装着の認識中は、第１の映像処理プログラム１０により映像処理を実行し、アダプタ２の抜脱を認識した場合は、第２の映像処理プログラム２１により映像処理を実行する。したがって、新しい規格または機能に対応したアダプタ２を一度装着してから抜脱した後に、アダプタ２よりも古い規格または機能に対応したプロジェクタ３を、その規格または機能により使用することもできる。
【００７８】
つぎに、本発明の第３実施の形態について説明する。なお第１実施の形態と同一構成には同一符号を付し、その説明を省略する。本実施の形態の映像処理システム１におけるプロジェクタ３は、図７に示すように、第１の映像処理プログラム１０と第２の映像処理プログラム２１のいずれか一方の映像処理プログラムを選択する選択部５０と、第１のプログラム記憶部８から選択部５０への送信線５１を形成するためのプログラム入力部５３およびプログラム出力部５２と、を備えた構成である。
【００７９】
図８に示すように、アダプタ２は、映像信号処理部６と第１のプログラム記憶部８のほか、バージョン情報送信部５４と第１の映像処理部５５とを有する。バージョン情報送信部５４は、プロジェクタ３に対し第１のプログラム記憶部８に格納されている第１の映像処理プログラム１０のバージョン情報を送信する。バージョン情報送信部５４は、ＣＰＵ７にあらかじめ格納されている図示しない制御プログラムをＣＰＵ７が実行することによって、その機能を実現するものである。
【００８０】
第１の映像処理部５５は、第１のプログラム記憶部８に格納されている第１の映像処理プログラム１０により映像処理を実行する。第１の映像処理部５５は、第１のプログラム記憶部８に格納されている第１の映像処理プログラム１０をプロジェクタ３の映像処理プロセッサ１８が実行することによって、その機能を実現するものである。
【００８１】
また、プロジェクタ３は、バージョン情報取得部５６と、判定部５７と、選択部５０と、第２の映像処理部５８と、を有する。バージョン情報取得部５６は、アダプタ認識部２４からの出力に基づいて、アダプタ２に対しバージョン情報取得コマンドを送信する。また、アダプタ２のバージョン情報送信部５４から送信されてくるバージョン情報を取得する。
【００８２】
判定部５７は、アダプタ２から取得したバージョン情報と、第２のプログラム記憶部２０に格納されている第２の映像処理プログラム２１のバージョン情報と、を比較し、一致するか否かを判定する。選択部５０は、判定部５７からの出力に基づいて第１の映像処理プログラム１０または第２の映像処理プログラム２１のいずれか一方の映像処理プログラムを選択し、選択した映像処理プログラムと映像処理プロセッサ１８とを接続する。また、第２の映像処理部５８は、第２の映像信号に基づいて映像処理を実行する。
【００８３】
バージョン情報取得部５６，判定部５７，選択部５０および第２の映像処理部５８は、第２のプログラム記憶部２０に格納されている図示しない制御プログラムを映像処理プロセッサ１８が実行することによって、これらの機能を実現するものである。
【００８４】
つぎに、本実施の形態の処理手順について図９のフローチャートを用いて説明する。まず、電源をＯＮにして（ステップＳ２２０：Ｙｅｓ）、映像処理プロセッサ１８の初期設定をおこなう（ステップＳ２２１）。アダプタ認識部２４によりアダプタ２の装着が認識された場合（ステップＳ２２２：Ｙｅｓ）、バージョン情報取得部５６からアダプタ２に対し、バージョン情報要求コマンドを制御線１４により送信する（ステップＳ２２３）。
【００８５】
アダプタ２では、バージョン情報要求コマンドを受信すると（ステップＳ１２０：Ｙｅｓ）、バージョン情報送信部５４から、アダプタ２に格納されている第１の映像処理プログラム１０のバージョン情報を送信する（ステップＳ１２１）。
【００８６】
そして、プロジェクタ３では、バージョン情報取得部５６において、バージョン情報送信部５４から送信されてきたバージョン情報を取得し、判定部５７において、取得したバージョン情報と第２の映像処理プログラム２１のバージョン情報とを比較して一致するか否かを判定する（ステップＳ２２４）。判定部５７において一致しないと判定された場合は（ステップＳ２２４：Ｎｏ）、選択部５０を切り替えて、第１の映像処理プログラム１０と映像処理プロセッサ１８とを接続する（ステップＳ２２５）。
【００８７】
このとき、アダプタ２において、第１の映像信号が入力されると（ステップＳ１２２：Ｙｅｓ）、映像信号処理部６において第１の映像信号がデジタル処理されて、伝送線１２によりプロジェクタ３に送信する（ステップＳ１２３）。そして、第１の映像処理部５５では、送信されてきた第１の映像信号と、第１の映像処理プログラム１０のデータを使用すること（ステップＳ１２４）、により、第１の映像処理部５５が、映像処理を実行する（ステップＳ２２６）。そして、投影部２５は、第１の映像処理部５５からの映像出力により拡大映像を投射する（ステップＳ２３０）。
【００８８】
一方、判定部５７において一致すると判定された場合（ステップＳ２２４：Ｙｅｓ）、またはアダプタ認識部２４においてアダプタ２の装着が認識されていない場合は（ステップＳ２２２：Ｎｏ）、選択部５０を切り替えて、第２の映像処理プログラム２１と映像処理プロセッサ１８とを接続する（ステップＳ２２７）。
【００８９】
このとき、プロジェクタ３に第２の映像信号が入力されると（ステップＳ２２８：Ｙｅｓ）、第２の映像処理部５８は、送信されてきた第２の映像信号と、第２の映像処理プログラム２１のデータ送信と、により、第２の映像処理部５８による映像処理を実行する（ステップＳ２２９）。そして、投影部２５は、第２の映像処理部５８からの映像出力により拡大映像を投射する（ステップＳ２３０）。
【００９０】
本実施の形態によれば、アダプタ２側の第１の映像処理プログラム１０とプロジェクタ３側の第２の映像処理プログラム２１とを切り替えて実行させるため、誤って異なるプログラムに書き換えることを防止することができる。また、第２の映像処理プログラム２１の書き換えをおこなわないので、すでに販売されたプロジェクタ３の映像処理プログラムがＲＯＭなどの読み取り専用の記憶媒体に格納されている場合にも適用することができる。
【００９１】
【発明の効果】
以上説明したように、本発明によれば、映像処理装置に対し異なる機能や規格を容易に追加することができ、多機能化を図ることができるという効果を奏する。また、将来的に新たな機能や規格の追加が必要な場合であっても、アダプタ２を適用することにより、容易に多機能化を図ることができるという効果を奏する。
【００９２】
さらに、映像処理装置のハードウェアの変更を強いられることが無いため、メンテナンスや修理の必要性がなく、アダプタの装着という簡単な作業により、映像処理装置の多機能化を図ることができる。また、新しい機能または規格が必要な場合はアダプタにより対応可能であるため、映像処理装置自体に複数種類の機能または規格の入力部を設ける必要がなく、安価な映像処理装置を提供することができるという効果を奏する。
【図面の簡単な説明】
【図１】この発明の第１実施の形態にかかる映像処理システムのハードウェア構成を示すブロック図である。
【図２】この発明の第１実施の形態にかかる映像処理システムの機能的構成を示すブロック図である。
【図３】この発明の第１実施の形態にかかる映像処理システムの処理手順を示すフローチャートである。
【図４】この発明の第１および第２実施の形態にかかる映像処理システムの処理手順の一部を示すフローチャートである。
【図５】この発明の第２実施の形態にかかる映像処理システムの機能的構成を示すブロック図である。
【図６】この発明の第２実施の形態にかかる映像処理システムの処理手順を示すフローチャートである。
【図７】この発明の第３実施の形態にかかる映像処理システムのハードウェア構成を示すブロック図である。
【図８】この発明の第３実施の形態にかかる映像処理システムの機能的構成を示すブロック図である。
【図９】この発明の第３実施の形態にかかる映像処理システムの処理手順を示すフローチャートである。
【符号の説明】
１  映像処理システム
２  アダプタ
３  プロジェクタ
４  入力部
５  出力部
８  第１のプログラム記憶部
１０  第１の映像処理プログラム
１７  入力部
２１  第２の映像処理プログラム
２０  第２のプログラム記憶部
３０，４３  判定部
３１  プログラム送信部
３３，４０  バージョン情報送信部
３４  更新部
５０  選択部
【図１】
2004287242.tif 000003
【図２】
2004287242.tif 000004
【図３】
2004287242.tif 000005
【図４】
2004287242.tif 000006
【図５】
2004287242.tif 000007
【図６】
2004287242.tif 000008
【図７】
2004287242.tif 000009
【図８】
2004287242.tif 000010
【図９】
2004287242.tif 000011